(57)【要約】【課題】測定器と接続された二本のピン状測定端子を夫々被測定端子に個別に当接させて、被測定端子間の電圧、電流、又は電気抵抗を測定する際に、狭い隙間の内奥部に被測定端子が配置されていたり、個々の被測定端子の面積が狭小である場合であっても、高い精度にて測定端子先端を各被測定端子に当接させることを可能とした測定端子ユニット、及び測定器を提供する。【解決手段】少なくとも絶縁性の指カバー部２を含む着用部材と、該指カバー部から突設したピン状の測定端子３と、該測定端子に一端を接続したリード線４と、を備えた。【選択図】図１
2007139475.tif 000002
【特許請求の範囲】
【請求項１】
少なくとも絶縁性の指カバー部を含む着用部材と、該指カバー部から突設したピン状の測定端子と、該測定端子に一端を接続したリード線と、を備えたことを特徴とする測定端子ユニット。
【請求項２】
前記着用部材は前記指カバー部のみから構成されていることを特徴とする請求項１に記載の測定端子ユニット。
【請求項３】
前記着用部材は、前記指カバー部と、手の他の部位をカバーする部分と、から成る手袋であることを特徴とする請求項１に記載の測定端子ユニット。
【請求項４】
前記リード線にヒューズボックスを接続したことを特徴とする請求項１乃至３の何れか一項に記載の測定端子ユニット。
【請求項５】
前記リード端子の他端に測定器本体との着脱用端子を接続したことを特徴とする請求項１乃至４の何れか一項に記載の測定端子ユニット。
【請求項６】
前記測定端子は、前記着用部材に対して着脱自在に取り付けられていることを特徴とする請求項１乃至５の何れか一項に記載の測定端子ユニット。
【請求項７】
一つの前記指カバー部に２本の測定端子を突設したことを特徴とする請求項１乃至６の何れか一項に記載の測定端子ユニット。
【請求項８】
２本のピン状測定端子を夫々２つの被測定端子に個別に当接させて各被測定端子間の電圧、電流、又は電気抵抗を測定する測定器であって、表示部及び測定回路を備えた測定器本体と、請求項１乃至７に記載の測定端子ユニットと、を備えたことを特徴とする測定器。
【請求項９】
前記測定器本体、或いは表示部を、前記着用部材、手、或いは手首に対して取り付けたことを特徴とする請求項８に記載の測定器。
【発明の詳細な説明】
【技術分野】
【０００１】
本発明は、被測定端子間の電圧、電流、又は電気抵抗を測定する測定器による測定作業性を高めることができる測定端子ユニットに関する。
【背景技術】
【０００２】
発電所、変電所、工場等の各種施設においては、各種電気設備を構成する機器、電気ユニット等の作動状態の良否、故障の有無等を確認するために、端子盤等に設けられた多数の被測定端子のうちの２つの被測定端子間の電圧、電流、又は電気抵抗を、測定器（テスター）を用いて測定する作業が日常的に実施される。
具体的には、例えば、発電所、変電所においては制御系の電源として直流電源を使っているが、その電源電圧を測ったり、回路の作動の良否を検査する際に、どの端子台まで電圧が届いているかを測定器を用いて測定する。このような測定作業は、電気設備に対する各種工事を実施する際にも行うし、事故発生時の調査に際しても行う。
従来の測定器は、２本のピン状測定端子（測定棒）を夫々２つの被測定端子に個別に当接させて各被測定端子間の電圧、電流、又は電気抵抗を測定するための構成を備えている。即ち、測定器は、表示部及び測定回路等を備えた測定器本体と、測定器本体から延びる２本のリード線と、各リード線に夫々接続された測定棒と、を備えている。測定棒は、絶縁材料からなる棒状の把持部の先端にピン状測定端子を突設した構成を備えており、測定に際しては、各把持部を夫々個別に両手で把持して測定端子先端を被測定端子に当接させるか、或いは２本の測定棒を片手で把持して箸のように測定端子の間隔を調整して各被測定端子に当接させた上で測定を実施する。
しかし、各測定棒を夫々両手で把持して狭い隙間内部にある被測定端子に測定端子を当接させる場合、各測定棒を把持する両手（挙）を近接させつつ測定棒を隙間内に差し込んで測定作業を行う必要があるため、各測定棒を握る両手（拳）が障害となって正確に測定端子を当接させることが困難になる。また、測定棒を箸のように把持して各測定端子を被測定端子に当接させる場合には、数ミリ単位の誤差もないように測定端子を被測定端子にピンポイント的に当接させる微妙な操作が難しくなる。特に、絶縁手袋を着用した状態での作業は困難を極める。
特開平５−１１７５５号公報「音楽制御装置およびそのタッチセンサ」には、鍵盤の鍵の表面に鍵電極を配置すると共に、演奏用手袋の指先表面に指電極を取り付け、更に内部の各指の袋の部分にタッチセンサを配置することにより、指先の傾き等に応じて楽音の音色等の制御を行うようにした構成が開示されている。
しかし、この従来例にあっては、指の表面に面状に展開した指電極を添設しているため、この指電極構造を測定器による測定端子に転用したとしても、狭小な面積を有するピンポイント状の被測定端子に対して広い面積を有する指電極を誤差なく当接させることは困難である。つまり、この従来例は、面積が狭小な被測定端子に対してピンポイント的にピン状の測定端子先端を当接させる作業に伴う問題の解決については一切言及が無く、しかもこのタッチセンサの構造を測定器に転用することは不可能である。特に、狭い隙間の内奥部に被測定端子がある場合に隙間内に指先を差し入れての当接作業は不可能か、或いは困難を極める。
【特許文献１】特開平５−１１７５５号公報
【発明の開示】
【発明が解決しようとする課題】
【０００３】
本発明は上記に鑑みてなされたものであり、測定器と接続された二本のピン状測定端子を夫々被測定端子に個別に当接させて、被測定端子間の電圧、電流、又は電気抵抗を測定する際に、狭い隙間の内奥部に被測定端子が配置されていたり、個々の被測定端子の面積が狭小である場合であっても、高い精度にて測定端子先端を各被測定端子に当接させることを可能とした測定端子ユニット、及び測定器を提供することを目的としている。
【課題を解決するための手段】
【０００４】
上記目的を達成するため請求項１の発明に係る測定端子ユニットは、少なくとも絶縁性の指カバー部を含む着用部材と、該指カバー部から突設したピン状の測定端子と、該測定端子に一端を接続したリード線と、を備えたことを特徴とする。
測定端子を指カバー部に取り付けるメリットは、直接的に指に着いている場合と同等なので位置精度を出しやすく、被測定端子と測定端子との間にズレが生じにくい。特に、狭い場所に電気回路が密集しているところでも、被測定端子の位置を目視確認した上でピンポイントで当てることができるようになる。
請求項２の発明は、請求項１において、前記着用部材は前記指カバー部のみから構成されていることを特徴とする。
請求項３の発明は、請求項１において、前記着用部材は、前記指カバー部と、手の他の部位をカバーする部分と、から成る手袋であることを特徴とする。
指カバー部と他のカバー部分は一体であっても良いし、着脱自在であっても良い。
請求項４の発明は、請求項１乃至３において、前記リード線にヒューズボックスを接続したことを特徴とする。
短絡で過電流が流れた場合の対処のために、ヒューズは安全上、必ず測定器に装備されているが、測定器に過電流が入ってからでは測定器に無理を与えるので、測定器に入る前段にヒューズを設けて遮断する。
請求項５の発明は、請求項１乃至４において、前記リード端子の他端に測定器本体との着脱用端子を接続したことを特徴とする。
請求項６の発明は、請求項１乃至５において、前記測定端子は、前記着用部材に対して着脱自在に取り付けられていることを特徴とする。
着用部材の指カバー部に対して測定端子を着脱自在に構成した場合には、測定対象物としての被測定端子の形状、面積、周辺の状況等の違いに応じて、長さや太さの違う電極、先端形状が種々異なる電極に代えることも可能となる。
請求項７の発明は、請求項１乃至６において、一つの前記指カバー部に２本の測定端子を突設したことを特徴とする。
請求項８の発明に係る測定器は、２本のピン状測定端子を夫々２つの被測定端子に個別に当接させて各被測定端子間の電圧、電流、又は電気抵抗を測定する測定器であって、表示部及び測定回路を備えた測定器本体と、請求項１乃至７に記載の測定端子ユニットと、を備えたことを特徴とする。
請求項９の発明は、請求項８において、前記測定器本体、或いは表示部を、前記着用部材、手、或いは手首に対して取り付けたことを特徴とする。
【発明の効果】
【０００５】
本発明によれば、指、或いは手に密着して被覆する絶縁材料から成る着用部材の指先、或いはその近傍に測定端子を取り付けるようにしたので、測定器と接続された二本の測定端子を夫々被測定端子に個別に当接させて、被測定端子間の電圧、電流、又は電気抵抗を測定する際に、狭い隙間の内奥部に被測定端子が配置されていたり、個々の被測定端子の面積が狭小である場合であっても、高い精度にて測定端子先端を各被測定端子に当接させて正確な測定を実施することができる。
【発明を実施するための最良の形態】
【０００６】
以下、本発明を添付図面に示した実施の形態により詳細に説明する。
図１（ａ）は本発明の一実施形態に係る測定端子ユニットの構成を示す外観図、（ｂ）は断面図であり、図２はこの測定端子ユニットを測定作業者の手の指に装着した状態を示す図であり、図３は測定端子ユニットを手に装着して測定を行っている状態を示す図である。
この測定端子ユニット１は、作業者の個々の指に装着される絶縁材料から成る袋状の指サック２（着用部材＝指カバー部）と、指サック２の適所（この例では先端部）に基端部を固定されることにより指サックから突設した状態に保持されるピン状の測定端子３と、測定端子３の適所に一端を電気的機械的に接続したリード線４と、を備えている。この例では更にリード線４の中間位置にヒューズボックス５を接続している。リード線４の他端には測定器本体側２１の接続端子２２ａと着脱自在に接続される鰐口クリップ（着脱用端子）６を接続している。
【０００７】
指サック（指カバー部）２は、樹脂、ゴム等の絶縁材料を人差し指、親指等の外面形状に密着してフィットし得るように構成したものであり、少なくともその内面の材料を弾性材料にて構成して指外面と密着させることにより使用中におけるズレや脱落を防止するように配慮する。
指サックの少なくとも表面側の材質を固くすることにより、測定端子３を保持する力を確保できる。指サックが重いと長期作業においては疲労をもたらすので、樹脂等の軽量の絶縁材料が好ましい。この場合も、指サックの内面側を柔らかく、弾性を有した材料とすることにより、指の外面に密着して位置ずれや脱落を防止できることは上述の如くである。
指サック２の先端部には、ピン状の測定端子３の基部を固定している。固定方法としては接着剤による固定、或いは図示のように指サック２の先端に設けた嵌合凹所２ａ内に嵌合させる等の任意の方法を採用できる。この際、測定端子３の基部と指サック内に挿着される指先とが直接接触することがないように絶縁材料を介在させることが肝要である。
なお、測定端子３の基部を指サック２に設けた嵌合凹所２ａ内等に対して着脱自在に取り付け可能となるように構成してもよい。このように構成すれば、測定端子３の交換が可能となり便利である。
リード線４は絶縁被覆されており、例えば図示のように指サック２の外面に沿って配設し、指サック外面に適所を固定する。或いは、指サック２の肉厚内、或いは内面側にリード線４を配線してもよい。
指サック２から更に下方に延びたリード線の途中にはヒューズボックス５を配置することにより過電流がリード線から流れた際に計測器本体に過電流が流れないようにしている。
着脱用端子として鰐口クリップ６を用いることにより、計測器本体側の接続端子２２ａの形状如何に関わらず共通して着脱して適用できることとなる。
この測定端子ユニット１は通常２個一組で使用され、夫々作業者の手の指の内の二本、例えば親指と人差し指、或いは人差し指と中指のように隣接した二本の指に夫々装着して使用される。被測定端子間の間隔が広い場合には一つの手の指のうちの離間した二本の指に装着して使用してもよいし、或いは両手の指に夫々一個ずつ装着して使用してもよい。
【０００８】
この測定端子ユニット１の使用に際しては、まず、図２、図３に示すように各リード４先端の鰐口クリップ６を測定器本体２１から延びる各リード線２２先端の接続端子２２ａに取り付けた状態で、片手の親指と人差し指に夫々指サック２を装着し、測定器本体２１の電源を投入する。次いで、図３に示すように各指先から突出した測定端子３を測定対象である被測定端子３０に対して一対一にて当接させて測定を行う。
このように二本の指先に取り付けた各指サック２の先端に測定端子３を固定して突出させ、２つの被測定端子に夫々各測定端子３を当接させて測定を行うので、狭い隙間の内奥部に被測定端子がある場合であっても指サック２、或いは測定端子３を隙間内に差し込んで被測定端子に当接させることができるし、指の他には目視障害物がないために被測定端子の位置を視認し易いため、目的とする被測定端子に対して正しく当接させることができる。特に、手の指先は人体で最も器用な部分であり、微妙且つ繊細な動作に適しているばかりか、測定端子３が指先と一体化して動作するため、測定端子が振れることなく、ミリ単位のピンポイント的な位置合わせが可能となり、小面積の被測定端子に対しても確実に測定端子を当接させることが可能となる。
なお、指サック２から延びるリード線４の余剰部分が手の甲や手首等に密着していないと測定作業中にリード線が垂れ下がるなどして邪魔になるため、図示しない絶縁製の固定手段、例えばリストバンド等を用いてリード線の余剰部分を手や手首等に密着させておくことが好ましい。
なお、図２に示した測定器２０は、２本のピン状測定端子３を夫々２つの被測定端子３０に個別に当接させて各被測定端子間の電圧、電流、又は電気抵抗を測定する測定器であって、表示部２３及び測定回路を備えた測定器本体２１と、測定器本体２１から延びる２本のリード線２２と、各リード線に夫々接続された接続端子２２ａと、を備えている。
指サック２、測定端子３、リード線４は、測定端子ユニット１を構成している。
【０００９】
次に、図４（ａ）及び（ｂ）は本発明の測定端子ユニット１の他の構成例を示す外観図、及び断面図であり、この測定端子ユニット１は、指サック２の先端部に２本の測定端子３を併設した構成が特徴的である。
即ち、間隔が狭い２つの被測定端子に対して夫々測定端子を当接させる場合、二本の指先に夫々指サックを被せた構成では対応できないことがある。この場合には一本の指サックに測定端子３を近接して二本取り付ける。各被測定端子間隔が極めて狭く、且つ一定の場合にはこの構成がよい。指一本を当てるだけで順次測定が可能となるからである。なお、指サックの方にある程度の柔軟性を持たせて二本の測定端子間の間隔を微調整できるように構成すれば多少の間隔調整が可能となる。測定端子間でショートだけは起こさないように配慮すればよい。
【００１０】
次に図５は本発明の測定端子ユニット１の他の構成例であり、この実施形態の着用部材は、指カバー部（指サック）２Ａと、手の他の部位をカバーする部分２Ｂと、から成る絶縁性の手袋である。
指カバー部２Ａと他の部分２Ｂとは一体であっても良いし、着脱分離自在に構成してもよい。着脱分離自在に構成した場合には、上記の指サックのみとして使用することもできることとなる。
この実施形態に係る測定端子ユニット１にあっては、指のみへ固定される指サックよりも手全体に固定された手袋の指先に相当する部分に測定端子を固定するので、更に安定して測定端子を支持することができる。即ち、手全体をカバーする部分２Ｂにより安定的に支持された指カバー部２Ａにより測定端子を支持するので、指の動きがダイレクトに測定端子に伝わり、振れを起こすことなく、測定することができる。
片手で測定作業を実施できる程度に被測定端子間の距離が短い場合には手袋一体型にすることにより作業性がアップすると考えられるが、被測定端子が大きく離れている場合はサック型にして別々の手に付けるのが好ましい。
この実施形態においても、測定端子３から延びるリード線４の余剰部分が着用部材の手の甲の部分や、手首等に密着していないと測定作業中にリード線が垂れ下がるなどして邪魔になるため、図示しない絶縁製の固定手段、例えばリストバンド等を用いてリード線の余剰部分を手や手首等に密着させておくことが好ましい。
【００１１】
次に、図６は本発明の測定端子ユニット１の他の構成例であり、この実施形態では手袋型着用部材の手の甲に小型軽量化された測定器本体２１を取り付けることにより測定作業中に測定値を見やすくしている。即ち、指先に装備された測定端子３と、手袋型着用部材に固定された測定器本体２１との間の距離は僅か十ｃｍ前後程度しか離間していないため、測定端子を被測定端子に当接させたことを目視確認してから、目視位置を僅か十ｃｍ程度動かすだけで測定器本体の表示部２３を読取ることができ、作業性が向上することは明かである。
なお、測定器本体２１は手袋型着用部材の任意の位置にマジックテープ（登録商標）、その他の着脱手段によって着脱できるように構成するのが好ましい。或いは、作業者の手首に着用できるようにベルト式に構成しても良い。
また、測定器本体２１を手袋型着用部材に取り付けるのではなく、別体の測定器本体からリード線を介して延びる小型の表示部だけを取り付けるようにしてもよい。
また、手袋型着用部材ではなく指サック型の着用部材を使用する際に小型測定器本体、或いは表示部をベルトその他の着脱手段によって手の甲や手首に取り付けるようにしても良い。
【図面の簡単な説明】
【００１２】
【図１】（ａ）は本発明の一実施形態に係る測定端子ユニットの構成を示す外観図、（ｂ）は断面図である。
【図２】測定端子ユニットを測定作業者の手の指に装着した状態を示す図である。
【図３】測定端子ユニットを手に装着して測定を行っている状態を示す図である。
【図４】（ａ）及び（ｂ）は本発明の測定端子ユニットの他の構成例を示す外観図、及び断面図である。
【図５】本発明の測定端子ユニットの他の構成例の説明図である。
【図６】本発明の測定端子ユニットの他の構成例の説明図である。
【符号の説明】
【００１３】
１…測定端子ユニット、２…指サック（着用部材、指カバー部）、２ａ…嵌合凹所、２Ａ…指カバー部、２Ｂ…部分、３…測定端子、４…リード線、５…ヒューズボックス、６…鰐口クリップ、２０…測定器、２１…測定器本体、２２…リード線、２２ａ…接続端子、２３…表示部、３０…被測定端子。
【図１】
2007139475.tif 000003
【図２】
2007139475.tif 000004
【図３】
2007139475.tif 000005
【図４】
2007139475.tif 000006
【図５】
2007139475.tif 000007
【図６】
2007139475.tif 000008